(57)【要約】  【課題】  ＳＩＰサーバよりリダイレクトレスポンスが返送されて代替えアドレスが通知された場合に、通信を中断することで発信者が意図しない端末へファクシミリ送信が行われることを防ぐことができるネットワーク対応ファクシミリ装置を提供すること。  【解決手段】  リダイレクトサーバより応答コード３００のリダイレクトレスポンスが返送されて代替えアドレスが通知された場合、ネットワーク対応ファクシミリ装置Ａは、メソッドＡＣＫによりメソッドＩＮＶＩＴＥに対する応答を受け取ったことを通知して通信を中断する。また、あらかじめ許可アドレスを設定することにより、代替えアドレスが許可アドレスに該当する場合にのみ通信を継続してファクシミリ送信を行うことも可能である。代替えアドレスにファクシミリ送信を行った場合、その旨が判別できるようにユーザーに提示を行う。  【選択図】  図６
2005094662.tif 000002
【特許請求の範囲】
【請求項１】
セッション制御プロトコルＳＩＰ（Ｓｅｓｓｉｏｎ  Ｉｎｉｔｉａｔｉｏｎ  Ｐｒｏｔｏｃｏｌ）に基づいてセッション制御を行い、
回線を介して接続したＳＩＰサーバを介してネットワークに接続可能であり、
所定の規格に基づいてファクシミリ送受信を行うネットワーク対応ファクシミリ装置であって、
ファクシミリ送信先の指定アドレスを指定する指定手段と、
前記ＳＩＰサーバに前記指定手段にて指定された指定アドレスとのセッション確立を要求する要求手段と、
前記ＳＩＰサーバから前記要求手段の応答を受け付ける受付手段と、を備え、
前記受付手段にて受け取った応答が、前記指定アドレスに対する代替えアドレスの通知であった場合、通信を中断することを特徴とするネットワーク対応ファクシミリ装置。
【請求項２】
セッション制御プロトコルＳＩＰに基づいてセッション制御を行い、
回線を介して接続したＳＩＰサーバを介してネットワークに接続可能であり、
所定の規格に基づいてファクシミリ送受信を行うネットワーク対応ファクシミリ装置であって、
ファクシミリ送信先の指定アドレスを指定する指定手段と、
前記ＳＩＰサーバに前記指定手段にて指定された指定アドレスとのセッション確立を要求する要求手段と、
前記ＳＩＰサーバから前記要求手段の応答を受け付ける受付手段と、
代替えアドレスとの通信を許可するか否かを決定する決定手段と、を備え、
前記受付手段にて受け取った応答が、前記指定アドレスに対する代替えアドレスの通知であった場合、
前記決定手段にて許可するとの決定を得た時は、前記代替えアドレスとのセッションを確立してファクシミリ送信を行い、
前記決定手段にて許可しないとの決定を得た時は、通信を中断することを特徴とするネットワーク対応ファクシミリ装置。
【請求項３】
ファクシミリ送信で取得した送信先ファクシミリ装置の受信能力を学習情報として送信先のアドレス毎に学習する学習手段を更に備え、
前記代替えアドレスとのセッションを確立してファクシミリ送信を行った場合、前記学習手段は、前記指定アドレスではなく前記代替えアドレスの学習情報として学習することを特徴とする請求項２記載のネットワーク対応ファクシミリ装置。
【請求項４】
ファクシミリ送信の履歴情報を記憶する記憶手段と、
前記記憶手段にて記憶された履歴情報をもとに送信結果レポート、通信管理レポート等のレポートリストを出力する出力手段と、を更に備え、
前記代替えアドレスとのセッションを確立してファクシミリ送信を行った場合、前記記憶手段は、前記指定アドレスと共に前記代替えアドレスを履歴情報として記憶し、
前記出力手段は、前記記憶手段にて記憶された前記代替えアドレスを含む履歴情報をもとに送信結果レポート、通信管理レポート等のレポートリストを出力することを特徴とする請求項２または請求項３記載のネットワーク対応ファクシミリ装置。
【請求項５】
ファクシミリ送信する送信画像に記号、文字等のマークを挿入する挿入手段を更に備え、
前記代替えアドレスとのセッションを確立してファクシミリ送信を行う場合、
前記挿入手段にて前記代替えアドレスへのファクシミリ送信であることを示すマークを挿入した送信画像をファクシミリ送信することを特徴とする請求項２、請求項３、または請求項４記載のネットワーク対応ファクシミリ装置。
【請求項６】
ファクシミリ送信中である旨を表示する表示手段を更に備え、
前記代替えアドレスとのセッションを確立してファクシミリ送信を行う場合、
前記表示手段は、前記代替えアドレスへのファクシミリ送信中であることを表示することを特徴とする請求項２、請求項３、請求項４、または請求項５記載のネットワーク対応ファクシミリ装置。
【請求項７】
前記指定手段にて指定された指定アドレスが複数の同報アドレスであり、
前記複数の同報アドレスのうち代替えアドレスにファクシミリ送信を行った代替えアドレスのみを記憶する代替えアドレス記憶手段を更に備え、
前記複数の同報アドレスに対して順次前記要求手段にてセッション確立を要求し、前記受付手段にて受け取った応答に、代替えアドレスの通知が存在した場合、
前記代替アドレスが前記複数の同報アドレスまたは前記代替えアドレス記憶手段に記憶されている代替えアドレスに含まれる時は、前記代替えアドレスとのセッションの確立を中止し、
前記代替アドレスが前記複数の同報アドレスにも前記代替えアドレス記憶手段に記憶されている代替えアドレスにも含まれず、かつ、前記決定手段にて許可するとの決定を得た時は、前記代替えアドレスとのセッションを確立してファクシミリ送信を行い、前記代替えアドレス記憶手段にてファクシミリ送信を行った前記代替えアドレスを記憶することを特徴とする請求項２、請求項３、請求項４、請求項５、または請求項６記載のネットワーク対応ファクシミリ装置。
【発明の詳細な説明】
【技術分野】
【０００１】
セッション制御プロトコルにＳＩＰ（Ｓｅｓｓｉｏｎ  Ｉｎｉｔｉａｔｉｏｎ  Ｐｒｏｔｏｃｏｌ）を用いて、ＩＴＵ−Ｔ（国際電気通信連合電気通信標準化部門）勧告Ｔ．３８に準拠したファクシミリ通信を行うネットワーク対応ファクシミリ装置に関する。
【背景技術】
【０００２】
これまで普及してきた電子メール形式によるメール型のインターネットファクシミリに代わって、送信ファクシミリと受信ファクシミリが直接通信を行うリアルタイム型のインターネットファクシミリが普及し始めている。
リアルタイム型のインターネットファクシミリは、インターネットを介してグループ３ファクシミリ伝送手順（ＩＴＵ−Ｔ勧告Ｔ．３８）に準拠して通信を行うものであり、従来はセッション制御プロトコルＩＴＵ−Ｔ勧告Ｈ．３２３の呼制御手順が用いられていた。
また、最近ではＩＴＵ−Ｔ勧告Ｈ．３２３と同様なセッション制御プロトコルであるＳＩＰが注目されている。ＩＴＵ−Ｔ勧告Ｈ．３２３とＳＩＰとの違いは、ＩＴＵ−Ｔ勧告Ｈ．３２３は様々な規約を包含することで比較的重い仕様になっているのに対し、ＳＩＰはセッションの開始・変更・終了の基本的なセッション制御を行うのみのシンプルな仕様となっていることである。このためＳＩＰには、拡張性が高く、他システムとの統合がしやすい等の様々なメリットがある。
【０００３】
ＳＩＰは、ＩＰ電話等のユーザ端末であるユーザエージェントとプロキシサーバ、リダイレクトサーバ、登録サーバの総称であるＳＩＰサーバから構成される。ＳＩＰの機能の１つに、着信側のアドレスとして代替えアドレスを登録することができる機能がある。この機能を使用すると、発信端末からのセッションの開始要求に対する応答で代替えロケーションリストが発信端末に通知された場合、発信端末は代替えロケーションリストの代替えアドレスとセッションを確立することで、代替え端末へ送信先を切り替えることが可能となる。
【発明の開示】
【発明が解決しようとする課題】
【０００４】
しかしながら、ＳＩＰの構成要素であるユーザエージェントを、ファクシミリ通信を行うネットワーク対応ファクシミリ装置とした場合、様々な問題が発生してしまっていた。
通常ファクシミリ送信を行う際、宛先（送信先アドレス）を指定し送信原稿をメモリに蓄積した後は、オペレータが介在せずに自動的に送信処理が行われる。そのため、送信指示を行った後にリダイレクトサーバからリダイレクトレスポンスが返送されて代替えアドレスの通知があった場合、オペレータが代替えアドレスにファクシミリ送信を行うか否かを判断することができないという問題があった。
また、リダイレクトサーバから通知された代替えアドレスとセッションを確立してファクシミリ送信を行った場合、送信者が意図した端末とは異なる端末へ送信してしまうという問題があった。
また、リダイレクトサーバから通知された代替えアドレスが仮に正しいアドレスであったとしても、ファクシミリ原稿は通常、自動的に印刷され排紙トレーへ出力されるため第三者に原稿を見られる可能性もあり、送信者の気付かない所で送信者が望ない場所へ、送信側のネットワーク対応ファクシミリ装置からファクシミリ送信されてしまうという問題もあった。
【０００５】
また、ネットワーク対応ファクシミリ装置では、従来から、ファクシミリ通信で取得した相手先端末の情報（受信能力や表示名称等）を学習情報として宛先ごとに記憶し、次回のファクシミリ通信時にこの学習情報を利用して通信能力の判定や通信手順の省略等に活用している。この学習情報を記憶する処理が従来のままであると、リダイレクトサーバから通知された代替えアドレスに対してファクシミリ送信を行った場合に、この学習情報がオペレータの指定アドレスの情報として記憶されてしまうという問題が考えられた。
また、ネットワーク対応ファクシミリ装置では、従来から、ファクシミリ送信を行った際の通信結果情報を、通信管理レポートや通信結果レポートに出力して発信側のネットワーク対応ファクシミリ装置で確認できるようになっている。リダイレクトサーバから通知された代替えアドレスに対してファクシミリ送信を行った場合に、その旨が通信結果情報に反映されないと、オペレータが意図した着信端末の情報を通信結果情報から得ることができず、実際にどこにファクシミリ送信を行ったかを確認できないため、オペレータが混乱してしまうという問題が考えられた。
【０００６】
また、リダイレクトサーバから通知された代替えアドレスに対して送信原稿をそのままファクシミリ送信を行うと、ファクシミリ受信側の端末で出力された原稿が、代替えアドレスにリダイレクトされて送信された原稿かオペレータの指定アドレスに送信された原稿かを区別することができないという問題が考えられた。
また、ネットワーク対応ファクシミリ装置では、従来から、ファクシミリ送信を行う際に、ネットワーク対応ファクシミリ装置の表示部にファクシミリ送信している旨のオンライン表示を出力している。このオンライン表示には、オペレータの指定アドレスが送信先の宛先として表示される。リダイレクトサーバから通知された代替えアドレスに対してファクシミリ送信を行っている場合に、その旨がオンライン表示に反映されないと、オペレータが意図した着信端末の情報をオンライン表示から得ることができず、実際にどこにファクシミリ送信を行っているかを確認できないため、オペレータが混乱してしまうという問題が考えられた。
また、複数の指定アドレス（同報アドレス）にファクシミリ送信を行う際、リダイレクトサーバから通知された代替えアドレスが同報アドレスに含まれていた場合、同一のアドレスに同一の原稿を重複して送信してしまい、オペレータの混乱を招いてしまうという問題が考えられた。
【０００７】
本発明は、上記のような問題を鑑み、ファクシミリ受信側の登録によりリダイレクトレスポンスが返送されて代替えアドレスが通知された場合に、通信を中断することで発信者が意図しない端末へファクシミリ送信が行われることを防ぐことができるネットワーク対応ファクシミリ装置を提供することを第１の目的とする。
【０００８】
また、ファクシミリ受信側の登録によりリダイレクトレスポンスが返送されて代替えアドレスが通知された場合に、あらかじめ登録した許可アドレスに該当する時は通信を継続してファクシミリ送信を行い、あらかじめ登録した許可アドレスに該当しない時は通信を中断することにより発信者が意図しない端末へファクシミリ送信を行わないことで、送信原稿のセキュリティを高めることができるネットワーク対応ファクシミリ装置を提供することを第２の目的とする。
【０００９】
また、代替えアドレスとセッションを確立してファクシミリ送信を行った場合は、ファクシミリ通信で取得した相手先端末の情報を、代替えアドレスの学習情報として記憶することができるネットワーク対応ファクシミリ装置を提供することを第３の目的とする。
【００１０】
また、代替えアドレスとセッションを確立してファクシミリ送信を行った場合は、その旨を履歴情報として記憶し、通信管理レポートや通信結果レポートに代替えアドレスへ送信したことを出力することで、オペレータの混乱をなくすことができるネットワーク対応ファクシミリ装置を提供することを第４の目的とする。
【００１１】
また、代替えアドレスとセッションを確立してファクシミリ送信を行う場合は、送信原稿へリダイレクトしたマークを挿入することにより、着信側で出力された原稿を、代替えアドレスにリダイレクトされて送信された原稿かオペレータの指定アドレスに送信された原稿かを区別することができるネットワーク対応ファクシミリ装置を提供することを第５の目的とする。
【００１２】
また、代替えアドレスとセッションを確立してファクシミリ送信を行う場合は、ネットワーク対応ファクシミリ装置の表示部へのオンライン表示に、代替えアドレスにリダイレクトされてファクシミリ送信中である旨を表示することにより、オペレータが安心してファクシミリ送信することができるネットワーク対応ファクシミリ装置を提供することを第６の目的とする。
【００１３】
また、複数の指定アドレス（同報アドレス）にファクシミリ送信を行う際、リダイレクトサーバから通知された代替えアドレスが、同報アドレスまたは既にファクシミリ送信済みの代替えアドレスに含まれていた場合、ファクシミリ送信を中止することで、同一のアドレスに同一の原稿を１度だけ送信することができるネットワーク対応ファクシミリ装置を提供することを第７の目的とする。
【課題を解決するための手段】
【００１４】
請求項１記載の発明は、セッション制御プロトコルＳＩＰに基づいてセッション制御を行い、回線を介して接続したＳＩＰサーバを介してネットワークに接続可能であり、所定の規格に基づいてファクシミリ送受信を行うネットワーク対応ファクシミリ装置であって、ファクシミリ送信先の指定アドレスを指定する指定手段と、前記ＳＩＰサーバに前記指定手段にて指定された指定アドレスとのセッション確立を要求する要求手段と、前記ＳＩＰサーバから前記要求手段の応答を受け付ける受付手段と、を備え、前記受付手段にて受け取った応答が、前記指定アドレスに対する代替えアドレスの通知であった場合、通信を中断することにより、前記第１の目的を達成する。
なお、所定の規格には、ＩＴＵ−Ｔ勧告Ｔ．３８を挙げることができる。
【００１５】
請求項２記載の発明は、セッション制御プロトコルＳＩＰに基づいてセッション制御を行い、回線を介して接続したＳＩＰサーバを介してネットワークに接続可能であり、所定の規格に基づいてファクシミリ送受信を行うネットワーク対応ファクシミリ装置であって、ファクシミリ送信先の指定アドレスを指定する指定手段と、前記ＳＩＰサーバに前記指定手段にて指定された指定アドレスとのセッション確立を要求する要求手段と、前記ＳＩＰサーバから前記要求手段の応答を受け付ける受付手段と、代替えアドレスとの通信を許可するか否かを決定する決定手段と、を備え、前記受付手段にて受け取った応答が、前記指定アドレスに対する代替えアドレスの通知であった場合、前記決定手段にて許可するとの決定を得た時は、前記代替えアドレスとのセッションを確立してファクシミリ送信を行い、前記決定手段にて許可しないとの決定を得た時は、通信を中断することにより、前記第２の目的を達成する。
なお、所定の規格には、ＩＴＵ−Ｔ勧告Ｔ．３８を挙げることができる。
【００１６】
請求項３記載の発明は、請求項２記載のネットワーク対応ファクシミリ装置において、ファクシミリ送信で取得した送信先ファクシミリ装置の受信能力を学習情報として送信先のアドレス毎に学習する学習手段を更に備え、前記代替えアドレスとのセッションを確立してファクシミリ送信を行った場合、前記学習手段は、前記指定アドレスではなく前記代替えアドレスの学習情報として学習することにより、前記第３の目的を達成する。
【００１７】
請求項４記載の発明は、請求項２または請求項３記載のネットワーク対応ファクシミリ装置において、ファクシミリ送信の履歴情報を記憶する記憶手段と、前記記憶手段にて記憶された履歴情報をもとに送信結果レポート、通信管理レポート等のレポートリストを出力する出力手段と、を更に備え、前記代替えアドレスとのセッションを確立してファクシミリ送信を行った場合、前記記憶手段は、前記指定アドレスと共に前記代替えアドレスを履歴情報として記憶し、前記出力手段は、前記記憶手段にて記憶された前記代替えアドレスを含む履歴情報をもとに送信結果レポート、通信管理レポート等のレポートリストを出力することにより、前記第４の目的を達成する。
【００１８】
請求項５記載の発明は、請求項２、請求項３、または請求項４記載のネットワーク対応ファクシミリ装置において、ファクシミリ送信する送信画像に記号、文字等のマークを挿入する挿入手段を更に備え、前記代替えアドレスとのセッションを確立してファクシミリ送信を行う場合、前記挿入手段にて前記代替えアドレスへのファクシミリ送信であることを示すマークを挿入した送信画像をファクシミリ送信することにより、前記第５の目的を達成する。
【００１９】
請求項６記載の発明は、請求項２、請求項３、請求項４、または請求項５記載のネットワーク対応ファクシミリ装置において、ファクシミリ送信中である旨を表示する表示手段を更に備え、前記代替えアドレスとのセッションを確立してファクシミリ送信を行う場合、前記表示手段は、前記代替えアドレスへのファクシミリ送信中であることを表示することにより、前記第６の目的を達成する。
【００２０】
請求項７記載の発明は、請求項２、請求項３、請求項４、請求項５、または請求項６記載のネットワーク対応ファクシミリ装置において、前記指定手段にて指定された指定アドレスが複数の同報アドレスであり、前記複数の同報アドレスのうち代替えアドレスにファクシミリ送信を行った代替えアドレスのみを記憶する代替えアドレス記憶手段を更に備え、前記複数の同報アドレスに対して順次前記要求手段にてセッション確立を要求し、前記受付手段にて受け取った応答に、代替えアドレスの通知が存在した場合、前記代替アドレスが前記複数の同報アドレスまたは前記代替えアドレス記憶手段に記憶されている代替えアドレスに含まれる時は、前記代替えアドレスとのセッションの確立を中止し、前記代替アドレスが前記複数の同報アドレスにも前記代替えアドレス記憶手段に記憶されている代替えアドレスにも含まれず、かつ、前記決定手段にて許可するとの決定を得た時は、前記代替えアドレスとのセッションを確立してファクシミリ送信を行い、前記代替えアドレス記憶手段にてファクシミリ送信を行った前記代替えアドレスを記憶することにより、前記第７の目的を達成する。
【発明の効果】
【００２１】
請求項１記載のネットワーク対応ファクシミリ装置によれば、ファクシミリ受信側の登録によりリダイレクトレスポンスが返送されて代替えアドレスが通知された場合に、通信を中断することで発信者が意図しない端末へファクシミリ送信が行われることを防ぐことができ、発信者が意図した端末にのみ直接原稿をファクシミリ送信することができる。
【００２２】
請求項２記載のネットワーク対応ファクシミリ装置によれば、ファクシミリ受信側の登録によりリダイレクトレスポンスが返送されて代替えアドレスが通知された場合に、発信者が許可した端末のアドレスならば代替えアドレスへのファクシミリ送信を行うことができる。
【００２３】
請求項３記載のネットワーク対応ファクシミリ装置によれば、代替えアドレスとセッションを確立してファクシミリ送信を行った場合は、ファクシミリ通信で取得した相手先端末の情報を、オペレータの指定アドレスの学習情報ではなく、代替えアドレスの学習情報として記憶することができる。
【００２４】
請求項４記載のネットワーク対応ファクシミリ装置によれば、代替えアドレスとセッションを確立してファクシミリ送信を行った場合は、その旨を履歴情報として記憶し、通信管理レポートや通信結果レポートに代替えアドレスへ送信したことを出力することで、オペレータの混乱をなくすことができる。
【００２５】
請求項５記載のネットワーク対応ファクシミリ装置によれば、代替えアドレスとセッションを確立してファクシミリ送信を行う場合は、送信原稿へリダイレクトしたマークを挿入することにより、着信側で出力された原稿を、代替えアドレスにリダイレクトされて送信された原稿かオペレータの指定アドレスに送信された原稿かを区別することができる。
【００２６】
請求項６記載のネットワーク対応ファクシミリ装置によれば、代替えアドレスとセッションを確立してファクシミリ送信を行う場合は、ネットワーク対応ファクシミリ装置の表示部へのオンライン表示に、代替えアドレスにリダイレクトされてファクシミリ送信中である旨を表示することにより、オペレータが安心してファクシミリ送信することができる。
【００２７】
請求項７記載のネットワーク対応ファクシミリ装置によれば、複数の指定アドレス（同報アドレス）にファクシミリ送信を行う際、リダイレクトサーバから通知された代替えアドレスが、同報アドレスまたは既にファクシミリ送信済みの代替えアドレスに含まれていた場合、ファクシミリ送信を中止することで、同一のアドレスに同一の原稿を１度だけ送信することができ、無駄な処理やオペレータの混乱をなくすことができる。
【発明を実施するための最良の形態】
【００２８】
以下、本発明の好適な実施の形態について図１ないし図１４を参照して詳細に説明する。
図１は、本発明の実施の形態に係るネットワーク対応ファクシミリ装置の構成を示したブロック図である。図１を参照すると、本発明の実施の形態に係るネットワーク対応ファクシミリ装置は、システム制御部１、ユーザＩ／Ｆ部２、スキャナ部３、プロッタ部４、メモリ部５、Ｔ．３８プロトコル作成／解析部６、ＩＰパケット作成／解析部７、ネットワークＩ／Ｆ制御部８、画像変換制御部９等により構成されている。
【００２９】
システム制御部１は、ネットワーク対応ファクシミリ装置全体の機能を制御し、ユーザＩ／Ｆ部２は、ネットワーク対応ファクシミリ装置の設定等に必要な各種キーやディスプレイを持つ。スキャナ部３は、ファクシミリ送信する原稿の画像を読み取るユニットであり、プロッタ部４は、ファクシミリ受信した原稿の画像やファクシミリ送受信における通信管理レポート等のレポートリストを紙等の所定媒体に出力するユニットである。メモリ部５は、スキャナ部３にて読み取ったファクシミリ送信する原稿画像やファクシミリ受信した原稿画像の蓄積、ファクシミリ送信する宛先情報やファクシミリ送信した履歴情報の記憶、システム制御用プログラムやワーク用データ、システム設定情報等の記憶を行うユニットである。
Ｔ．３８プロトコル作成／解析部６は、ＩＴＵ−Ｕ勧告Ｔ．３８プロトコルによるファクシミリ伝送情報を生成し、また受信したプロトコルからファクシミリ伝送情報を取り出す機能を持つ。ＩＰパケット作成／解析部７は、ＩＴＵ−Ｕ勧告Ｔ．３８プロトコルをＩＰパケットにマッピングし、また受信したＩＰパケットからＩＴＵ−Ｕ勧告Ｔ．３８プロトコルを取り出す機能を持つ。ネットワークＩ／Ｆ制御部８は、ＬＡＮまたはインターネットとのインタフェースであり、ネットワークを介して種々のデータをやり取りする機能を持つ。画像変換制御部９は、ファクシミリ送受信する画像の圧縮伸張や変倍、線密度変換を行うユニットである。
【００３０】
図２は、本発明の実施の形態に係るネットワーク対応ファクシミリ装置のプロキシサーバを介したネットワーク構成を示した図である。
ネットワーク対応ファクシミリ装置Ａとネットワーク対応ファクシミリ装置Ｂは共に、ＳＩＰ対応のユーザ端末であるユーザエージェント（ＵＡ）である。ユーザエージェント（ＵＡ）には、リクエストを送信する機能を持つクライアント（ＵＡＣ）とリクエストを受信する機能を持つサーバ（ＵＡＳ）の２種類があるが、リクエスト送受信のどちら側になるかでＵＡＣとＵＡＳが決まる。
また、プロキシサーバは、ＵＡＣからのリクエストを次のサーバに中継するサーバである。なお、プロキシサーバ、後述する登録サーバ、後述するリダイレクトサーバの３つのサーバを総称してＳＩＰサーバと呼ぶ。この３つのサーバの機能を１つのＳＩＰサーバ内に実装させても構わないし、３つのサーバの機能を別々のＳＩＰサーバに実装させても構わない。
ネットワーク対応ファクシミリ装置Ａが、ファクシミリ送信先であるネットワーク対応ファクシミリ装置Ｂを呼び出す場合、相手先の指定は、ＳＩＰ−ＵＲＩ（Ｕｎｉｆｏｒｍ  Ｒｅｓｏｕｒｃｅ  Ｉｄｅｎｔｉｆｉｅｒ）と呼ばれるアドレス表記「（例）ｓｉｐ：ｃｌｉｅｎｔ−ｂ＠ｄｏｍａｉｎ−ｂ．ｃｏｍ」で指定を行う。このアドレス表記の最初の「ｓｉｐ：」はプロトコルを指定するもので、「＠」前の「ｃｌｉｅｎｔ−ｂ」は通信先ユーザのＩＤ、「＠」後ろの「ｄｏｍａｉｎ−ｂ．ｃｏｍ」がドメインである。
【００３１】
ここで、図３を参照して、発信側のネットワーク対応ファクシミリ装置Ａが着信側のネットワーク対応ファクシミリ装置Ｂを呼び出す際のＳＩＰの基本通信フローについて説明する。
ＳＩＰによるセッションの確立／終了は、メソッドと応答コードにより行われる。発信側のネットワーク対応ファクシミリ装置Ａは、まず、自身のドメインＡ内にあるプロキシサーバＡに対してメソッドＩＮＶＩＴＥを発行し、セッションの確立を促す。メソッドＩＮＶＩＴＥを受け取ったプロキシサーバＡは、応答コード１００Ｔｒｙｉｎｇ（現在リクエストを転送中）をネットワーク対応ファクシミリ装置Ａに返送し、目的地であるドメインＢ内のプロキシサーバＢに対してメソッドＩＮＶＩＴＥを発行する。メソッドＩＮＶＩＴＥを受け取ったプロキシサーバＢは、更に着信側のネットワーク対応ファクシミリ装置Ｂに対してメソッドＩＮＶＩＴＥの転送を試みる。その際、先程と同様にプロキシサーバＡに対して応答コード１００を返送する。プロキシサーバを介して到達したメソッドＩＮＶＩＴＥは、ここで初めてネットワーク対応ファクシミリ装置Ｂに到達することになる。そしてネットワーク対応ファクシミリ装置Ｂは、応答コード１８０Ｒｉｎｇｉｎｇをネットワーク対応ファクシミリ装置Ａに対して通知する。
【００３２】
また、ここでネットワーク対応ファクシミリ装置Ｂが呼び出しに応じる場合、応答コード２００ＯＫがネットワーク対応ファクシミリ装置Ａに対して返送され、ネットワーク対応ファクシミリ装置ＡはメソッドＡＣＫによりメソッドＩＮＶＩＴＥに対する応答を受け取ったことをネットワーク対応ファクシミリ装置Ｂに通知する。ここで、セッションが確立する。
このセッションの確立後は、ＩＴＵ−Ｔ勧告Ｔ．３８に準拠したリアルタイムのファクシミリ通信が行われる。ファクシミリ通信後は、ネットワーク対応ファクシミリ装置Ｂからネットワーク対応ファクシミリ装置ＡにメソッドＢＹＥが発行され、その応答コード２００ＯＫがネットワーク対応ファクシミリ装置Ａからネットワーク対応ファクシミリ装置Ｂに返送される。ここで、セッションが終了する。
【００３３】
次に、図４を参照して、着信側のネットワーク対応ファクシミリ装置Ｂがロケーションを登録するフローとロケーション登録時に発信側のネットワーク対応ファクシミリ装置Ａが着信側のネットワーク対応ファクシミリ装置Ｂを呼び出すフローについて説明する。
ここで、登録サーバとは、ＵＡＣの現在位置を登録するリクエストを受信するサーバであり、ロケーションサーバとは、登録サーバからの登録情報を蓄積し、後述するリダイレクトサーバやプロキシサーバによる着信ＵＲＩの参照要求に応答するサーバである。
着信側のネットワーク対応ファクシミリ装置Ｂは、あらかじめメソッドＲＥＧＩＳＴＥＲにより登録サーバへロケーション情報を通知し、登録サーバは通知されたロケーション情報をロケーションサーバに登録しておく（フロー１、２）。
発信側のネットワーク対応ファクシミリ装置ＡからのメソッドＩＮＶＩＴＥは、プロキシサーバＡとプロキシサーバＢに転送される（フロー３、４）。メソッドＩＮＶＩＴＥを受け取ったプロキシサーバＢは、ロケーションサーバに着信アドレスのロケーション情報を問い合わせてネットワーク対応ファクシミリ装置Ｂを特定し（フロー５、６）、ネットワーク対応ファクシミリ装置ＢにＩＮＶＩＴＥメソッドを転送する（フロー７）。
【００３４】
次に、図５を参照して、着信側のネットワーク対応ファクシミリ装置ＢのＵＲＩ変更時に発信側のネットワーク対応ファクシミリ装置Ａが着信側のネットワーク対応ファクシミリ装置Ｂを呼び出すフローについて説明する。
ここで、リダイレクトサーバとは、リクエストを受け取り着信側の現在のアドレス（代替えアドレス）を発信側に知らせる役割を持つサーバである。ＵＡＣは通常、返信された代替えアドレスに発信し直す。
着信側のネットワーク対応ファクシミリ装置ＢのＵＲＩが変更されていた場合は、発信側のネットワーク対応ファクシミリ装置ＡからのメソッドＩＮＶＩＴＥは、プロキシサーバＡを経由してリダイレクトサーバに転送され（フロー３、４）、メソッドＩＮＶＩＴＥを受け取ったリダイレクトサーバは、ロケーションサーバに問い合わせて代替えアドレスを含む代替えロケーションリストを受け取る（フロー５、６）。そしてリダイレクトサーバは、応答コード３００Ｍｕｌｔｉｐｌｅ  ｃｈｏｉｃｅのリダイレクトレスポンスをプロキシサーバＡを経由してネットワーク対応ファクシミリ装置Ａへ返送する（フロー７、８）。なお、ネットワーク対応ファクシミリ装置Ａには、リダイレクトレスポンスと共に、代替えロケーションリストも通知される。
続いて、リダイレクトサーバからリダイレクトレスポンスが返送された場合における、本発明の実施の形態に係るネットワーク対応ファクシミリ装置の通信処理手順を実施例１及び実施例２にて説明する。
【実施例１】
【００３５】
リダイレクトサーバから応答コード３００Ｍｕｌｔｉｐｌｅ  ｃｈｏｉｃｅのリダイレクトレスポンスが返送された場合（図５のフロー７、８）、ネットワーク対応ファクシミリ装置Ａは、メソッドＡＣＫによりメソッドＩＮＶＩＴＥに対する応答を受け取ったことをリダイレクトサーバに通知し、通信を中断する。この通信中断時のシーケンスを図６に示す。図６には通信中断ポイントが図示されている。ＵＡＣであるネットワーク対応ファクシミリ装置Ａは通常、リダイレクトサーバから通知された着信側の現在のアドレス（代替えアドレス）にＩＮＶＩＴＥメソッドを発行し直してセッションの確立を促すが、本実施例では、セッションの確立処理を行わず、通信中断ポイントにて通信を中断する。
【００３６】
図７は、図５のネットワーク対応ファクシミリ装置Ａの通信処理手順を示した第１の実施例のフローチャートである。本実施例では、発信側のネットワーク対応ファクシミリ装置ＡがＩＮＶＩＴＥメソッドをプロキシサーバに発行して接続要求を行い（ステップ１１）、リダイレクトサーバからリダイレクトレスポンスを受信すると（ステップ１２）、セッションの確立処理を行わずに通信を中断する（ステップ１３）。
【実施例２】
【００３７】
図８は、図５のネットワーク対応ファクシミリ装置Ａの通信処理手順を示した第２の実施例のフローチャートである。
発信側のネットワーク対応ファクシミリ装置ＡがＩＮＶＩＴＥメソッドをプロキシサーバに発行して接続要求を行い（ステップ２１）、リダイレクトサーバからリダイレクトレスポンスを受信すると（ステップ２２）、リダイレクトレスポンスと共に通知される代替えロケーションリストの代替えアドレスが、ネットワーク対応ファクシミリ装置Ａのメモリ部５にあらかじめ登録しておいたリダイレクト許可テーブルのアドレスに該当するか否かをチェックする（ステップ２３）。ここで、リダイレクト許可テーブルの例を図９に示す。ステップ２３のチェックでは、代替えアドレスのドメインがリダイレクト許可テーブルのリダイレクト許可セグメントに存在しているか否かをチェックする。
そして、代替えアドレスのドメインがリダイレクト許可テーブルのリダイレクト許可セグメントに存在している許可アドレスであった場合（ステップ２３；Ｙ）、通知された代替えアドレスに対して再びメソッドＩＮＶＩＴＥを発行して再接続要求を行い（ステップ２５）、セッションを確立させてＩＴＵ−Ｔ勧告Ｔ．３８によるリアルタイムのファクシミリ送信を行う（ステップ２６）。また、許可アドレスでなかった場合（ステップ２３；Ｎ）、セッションの確立処理を行わずに通信を中断する（ステップ２４）。
【００３８】
続いて、リダイレクトサーバからリダイレクトレスポンスが返送された場合における、本発明の実施の形態に係るネットワーク対応ファクシミリ装置が学習情報を記憶する処理手順について実施例３にて説明する。
【実施例３】
【００３９】
ネットワーク対応ファクシミリ装置では、従来から、ファクシミリ通信で取得したＴＳＩ（送信端末識別信号）情報、受信能力（受信可能なサイズ、線密度、圧縮方式）情報を学習情報として宛先ごとに記憶しておき、この学習情報を次回のファクシミリ通信で活用することが行われている。
図１０は、ネットワーク対応ファクシミリ装置が学習情報を記憶する処理手順を示した第３の実施例のフローチャートである。
ネットワーク対応ファクシミリ装置がファクシミリ通信により学習情報を取得すると（ステップ３１）、今回のファクシミリ通信がリダイレクトサーバから通知された代替えアドレスへのファクシミリ送信か否かを判断する（ステップ３２）。ここで、代替えアドレスへのファクシミリ送信であった場合（ステップ３２；Ｙ）、代替えアドレスの学習情報として、ステップ３１にて取得した学習情報をメモリ部５に記憶する（ステップ３４）。一方、代替えアドレスへのファクシミリ送信でなかった（オペレータの指定アドレスへのファクシミリ送信であった）場合（ステップ３２；Ｎ）、指定アドレスの学習情報として、ステップ３１にて取得した学習情報をメモリ部５に記憶する（ステップ３３）。
【００４０】
続いて、本発明の実施の形態に係るネットワーク対応ファクシミリ装置が代替えアドレスにファクシミリ送信を行った際に出力する送信結果レポートについて実施例４にて説明する。
【実施例４】
【００４１】
ネットワーク対応ファクシミリ装置では、従来から、ファクシミリ送信を行った際に送信結果レポートを出力している。リダイレクトサーバから通知された代替えアドレスにファクシミリ送信を行った場合には、その旨を送信結果レポートにて確認できる様にする。
リダイレクトサーバから通知された代替えアドレスにファクシミリ送信を行った場合、ファクシミリ送信した履歴情報として代替えアドレスをメモリ部５に記憶させ、送信結果レポートを出力する際、メモリ部５から代替えアドレスを取得して送信結果レポートの印字を行う。図１１は、送信結果レポートの例を示した図である。図１１の例では、オペレータの指定アドレスとリダイレクトサーバから通知されたリダイレクトアドレス（代替えアドレス）の両方を送信結果レポートに印字して出力することで、オペレータがどこにファクシミリ送信を行ったかを確認できるようになっている。
また同様に、通信管理レポート等その他のレポートリストにおいても、メモリ部５にファクシミリ送信した履歴情報として代替えアドレスが記憶されているので、ファクシミリ送信を行った際にリダイレクトされたことが分かる様に印字して出力することが可能である。
【００４２】
続いて、本発明の実施の形態に係るネットワーク対応ファクシミリ装置が代替えアドレスにファクシミリ送信する際に、ファクシミリ送信対象の原稿画像に挿入するマークについて実施例５にて説明する。
【実施例５】
【００４３】
リダイレクトサーバから通知された代替えアドレスにファクシミリ送信を行う場合、ファクシミリ送信対象の原稿画像に文字、記号等のマークを挿入して送信する。
ファクシミリ送信対象の原稿画像へのマークの挿入は、画像変換制御部９にてメモリ部５に蓄積されているファクシミリ送信対象の原稿画像を伸張し、この原稿画像へマークの差し込み処理を行い、再圧縮することで行う。ネットワーク対応ファクシミリ装置は、リダイレクトサーバから通知された代替えアドレスに、ＩＴＵ−Ｔ勧告Ｔ．３８によるリアルタイムのファクシミリ送信を行う際、マーク挿入後の原稿画像を送信する。
図１２は、ファクシミリ送信する原稿画像にマークを挿入した例を示した図である。ファクシミリ受信側では、出力された原稿を見て、リダイレクトされて送信された原稿であることを特定することができる。
【００４４】
続いて、本発明の実施の形態に係るネットワーク対応ファクシミリ装置が代替えアドレスにファクシミリ送信を行う際にユーザＩ／Ｆ部２のディスプレイに出力する、オンライン表示について実施例６にて説明する。
【実施例６】
【００４５】
ネットワーク対応ファクシミリ装置では、従来から、ファクシミリ送信を行う際にユーザＩ／Ｆ部２のディスプレイに、ファクシミリ送信している旨のオンライン表示を出力している。リダイレクトサーバから通知された代替えアドレスにファクシミリ送信を行っている場合には、その旨をオンライン表示にて確認できる様にする。
図１３は、リダイレクトサーバから通知された代替えアドレスにファクシミリ送信を行っている場合のオンライン表示の例を示した図である。図１３を参照すると、ユーザＩ／Ｆ部２のディスプレイは、ＬＣＤ（液晶ディスプレイ）となっており、ＬＣＤの２行目をリダイレクトアドレス（代替えアドレス）の表示エリアとしている。この２行目の表示エリアに、ネットワーク対応ファクシミリ装置の通信中にリダイレクトサーバから代替えアドレスが通知された時点で、この代替えアドレスを表示する。なお、１行目の表示エリアは、オペレータの指定アドレスの表示エリアである。
【００４６】
続いて、本発明の実施の形態に係るネットワーク対応ファクシミリ装置が代替えアドレスにファクシミリ送信を行う際に、この代替えアドレスが、オペレータが指定した複数の指定アドレス（同報アドレス）と重複した場合における処理を実施例７にて説明する。
【実施例７】
【００４７】
図１４は、ネットワーク対応ファクシミリ装置Ａがある原稿をネットワーク対応ファクシミリ装置Ｘ、Ｙ、Ｚへファクシミリ送信しようとした場合に、ネットワーク対応ファクシミリ装置Ｙが代替えアドレスとしてネットワーク対応ファクシミリ装置Ｘのアドレスを登録していた場合の処理を説明するための図である。以下、図１４を参照してネットワーク対応ファクシミリ装置Ａが同報送信先のネットワーク対応ファクシミリ装置Ｘ、Ｙ、Ｚへファクシミリ送信する処理の手順を説明する。
【００４８】
ネットワーク対応ファクシミリ装置Ａは、同報アドレスへのファクシミリ送信処理として、まずネットワーク対応ファクシミリ装置Ｘとセッションを確立し、ＩＴＵ−Ｔ勧告Ｔ．３８によるリアルタイムのファクシミリ送信を行う。
その後、ネットワーク対応ファクシミリ装置Ｙにセッションの確立要求を送信した結果、リダイレクトサーバから代替えアドレスとしてネットワーク対応ファクシミリ装置Ｘのアドレスが通知された場合、同報送信の宛先ファイルを検索して今回通知された代替えアドレスが同報送信の宛先ファイルに存在しているか否かを確認する。また、既に代替えアドレスへのファクシミリ送信を行っていた場合は、このファクシミリ送信済みの代替えアドレスに今回通知された代替えアドレスが存在しているか否かも確認する。なお、同報アドレスを格納する同報送信の宛先ファイルとファクシミリ送信済みの代替えアドレスは、メモリ部５に記憶しておくこととする。
【００４９】
ここで、同報送信の宛先ファイルまたはファクシミリ送信済みの代替えアドレスに、今回通知された代替えアドレスが存在していた場合は、通信を中断してファクシミリ送信処理を中止する。つまり本実施例では、同報送信の宛先ファイルにはネットワーク対応ファクシミリ装置Ｘ、Ｙ、Ｚのアドレスがあり、今回通知された代替えアドレスがネットワーク対応ファクシミリ装置Ｘのアドレスであるため、通信は中断されファクシミリ送信は中止される。一方、同報送信の宛先ファイルにもファクシミリ送信済みの代替えアドレスにも今回通知された代替えアドレスが存在していなかった場合は、今回通知された代替えアドレスのネットワーク対応ファクシミリ装置とセッションを確立し、ＩＴＵ−Ｔ勧告Ｔ．３８によるリアルタイムのファクシミリ送信を行う。
最後に、ネットワーク対応ファクシミリ装置Ｚとセッションを確立し、ＩＴＵ−Ｔ勧告Ｔ．３８によるリアルタイムのファクシミリ送信を行う。
【図面の簡単な説明】
【００５０】
【図１】本発明の実施の形態に係るネットワーク対応ファクシミリ装置の構成を示したブロック図である。
【図２】本発明の実施の形態に係るネットワーク対応ファクシミリ装置のプロキシサーバを介したネットワーク構成を示した図である。
【図３】発信側のネットワーク対応ファクシミリ装置Ａが着信側のネットワーク対応ファクシミリ装置Ｂを呼び出す際のＳＩＰの基本通信フローを示した図である。
【図４】着信側のネットワーク対応ファクシミリ装置Ｂがロケーションを登録するフローとロケーション登録時に発信側のネットワーク対応ファクシミリ装置Ａが着信側のネットワーク対応ファクシミリ装置Ｂを呼び出すフローを示した図である。
【図５】着信側のネットワーク対応ファクシミリ装置ＢのＵＲＩ変更時に発信側のネットワーク対応ファクシミリ装置Ａが着信側のネットワーク対応ファクシミリ装置Ｂを呼び出すフローを示した図である。
【図６】リダイレクトサーバからリダイレクトレスポンスが返送された場合にネットワーク対応ファクシミリ装置Ａが通信を中断するシーケンスを示した図である。
【図７】図５のネットワーク対応ファクシミリ装置Ａの通信処理手順を示した第１の実施例のフローチャートである。
【図８】図５のネットワーク対応ファクシミリ装置Ａの通信処理手順を示した第２の実施例のフローチャートである。
【図９】リダイレクト許可テーブルの例を示した図である。
【図１０】ネットワーク対応ファクシミリ装置が学習情報を記憶する処理手順を示した第３の実施例のフローチャートである。
【図１１】送信結果レポートの例を示した図である。
【図１２】ファクシミリ送信する原稿画像にマークを挿入した例を示した図である。
【図１３】リダイレクトサーバから通知された代替えアドレスにファクシミリ送信を行っている場合のオンライン表示の例を示した図である。
【図１４】ネットワーク対応ファクシミリ装置Ａがある原稿をネットワーク対応ファクシミリ装置Ｘ、Ｙ、Ｚへファクシミリ送信しようとした場合に、ネットワーク対応ファクシミリ装置Ｙが代替えアドレスとしてネットワーク対応ファクシミリ装置Ｘのアドレスを登録していた場合の処理を説明するための図である。
【符号の説明】
【００５１】
１  システム制御部
２  ユーザＩ／Ｆ部
３  スキャナ部
４  プロッタ部
５  メモリ部
６  Ｔ．３８プロトコル作成／解析部
７  ＩＰパケット作成／解析部
８  ネットワークＩ／Ｆ制御部
９  画像変換制御部
【図１】
2005094662.tif 000003
【図２】
2005094662.tif 000004
【図３】
2005094662.tif 000005
【図４】
2005094662.tif 000006
【図５】
2005094662.tif 000007
【図６】
2005094662.tif 000008
【図７】
2005094662.tif 000009
【図８】
2005094662.tif 000010
【図９】
2005094662.tif 000011
【図１０】
2005094662.tif 000012
【図１１】
2005094662.tif 000013
【図１２】
2005094662.tif 000014
【図１３】
2005094662.tif 000015
【図１４】
2005094662.tif 000016